【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
より広いシステム帯域幅内の少なくとも１つの狭帯域領域を識別することと、
前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定することと、ここにおいて、前記少なくとも１つのパラメータは、サイクリックシフト、拡散パラメータ、またはホッピングパターンのうちの少なくとも１つを備え、
発展型ノードＢ（ｅＮＢ）に、前記少なくとも１つの決定されたパラメータを使用して前記物理アップリンクチャネルの前記シンボルを送信することと、ここにおいて、前記シンボルは、前記１つまたは複数の他のＵＥによって使用される時間周波数リソースを使用して送信される、
を備え、
ここにおいて、前記ＵＥおよび前記１つまたは複数の他のＵＥは、単一のリソースブロック（ＲＢ）をスパンする狭帯域領域中で動作し、ここにおいて、前記ＵＥおよび前記１つまたは複数の他のＵＥの各々は、前記単一のＲＢの少なくとも１つのトーンを割り当てられる、方法。
【請求項２】
前記少なくとも１つのパラメータが前記サイクリックシフトを備え、
前記物理アップリンクチャネルを送信することが、前記物理アップリンクチャネルの１つまたは複数のシンボル中で基準信号（ＲＳ）を送信するために前記サイクリックシフトを適用することを備える、
請求項１に記載の方法。
【請求項３】
前記少なくとも１つのパラメータが前記拡散パラメータを備え、前記拡散パラメータが拡散コードを備え、
前記物理アップリンクチャネルを送信することが、前記物理アップリンクチャネルの複数のシンボル中で基準信号（ＲＳ）またはデータシンボルを送信するために前記拡散コードを適用することを備える、
請求項１に記載の方法。
【請求項４】
前記少なくとも１つのパラメータが前記拡散パラメータを備え、前記拡散パラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを送信することが、前記物理アップリンクチャネルの複数のシンボルを送信するために前記ＳＦを適用することを備える、
請求項１に記載の方法。
【請求項５】
前記ホッピングパターンが、サブフレームホッピングパターンを備え、
前記決定することが、前記サブフレームホッピングパターンを識別することを備え、
前記物理アップリンクチャネルを送信することが、前記狭帯域領域内で、第１のサブフレーム中に第１の周波数を使用し、その後、第２のサブフレーム中に第２の周波数を使用して前記物理アップリンクチャネルを送信するために、拡散率を適用することを備え、前記第１の周波数および前記第２の周波数が前記ホッピングパターンに基づいて決定される、
請求項１に記載の方法。
【請求項６】
前記ホッピングパターンが、スロットベースホッピングパターンを備え、
前記決定することが、前記スロットベースホッピングパターンを識別することを備え、
前記物理アップリンクチャネルを送信することが、前記狭帯域領域内で、サブフレームの第１のスロット中に第１の周波数上で、その後、前記サブフレームの第２のスロット中に第２の周波数上で前記物理アップリンクチャネルを送信するために、拡散率を適用することを備え、前記第１の周波数および前記第２の周波数が前記ホッピングパターンに基づいて決定される、
請求項１に記載の方法。
【請求項７】
前記拡散率が、前記サブフレーム内で前記第１の周波数から前記第２の周波数に再同調するための時間に少なくとも部分的に基づく、請求項５または６に記載の方法。
【請求項８】
前記物理アップリンクチャネルを送信することが、前記物理アップリンクチャネルのサブフレームの複数のシンボル中であるいは前記物理アップリンクチャネルの複数のサブフレームにわたって基準信号（ＲＳ）またはデータシンボルのうちの一方を送信するために、拡散コードを適用することを備える、請求項１に記載の方法。
【請求項９】
発展型ノードＢ（ｅＮＢ）によるワイヤレス通信のための方法であって、
より広いシステム帯域幅内の少なくとも１つの狭帯域領域を識別することと、
前記狭帯域領域中での、１つまたは複数の他のＵＥによって送信されるシンボルと多重化される物理アップリンクチャネルのシンボルの送信のための少なくとも１つのパラメータをユーザ機器に割り当てることと、ここにおいて、前記少なくとも１つのパラメータは、サイクリックシフト、拡散パラメータ、またはホッピングパターンのうちの少なくとも１つを備え、
前記ＵＥから、前記少なくとも１つの割り当てられたパラメータを使用して前記物理アップリンクチャネルの前記シンボルを受信することと、ここにおいて、前記シンボルは、前記１つまたは複数の他のＵＥによって使用される時間周波数リソースを使用して受信される、
を備え、
ここにおいて、前記ＵＥおよび前記１つまたは複数の他のＵＥは、単一のリソースブロック（ＲＢ）をスパンする狭帯域領域中で動作し、ここにおいて、前記ＵＥおよび前記１つまたは複数の他のＵＥの各々は、前記単一のＲＢの少なくとも１つのトーンを割り当てられる、方法。
【請求項１０】
前記少なくとも１つのパラメータが前記サイクリックシフトを備え、
前記物理アップリンクチャネルを受信することが、前記物理アップリンクチャネルの１つまたは複数のシンボル中で、適用された前記サイクリックシフトを用いて基準信号（ＲＳ）を受信することを備える、
請求項９に記載の方法。
【請求項１１】
前記少なくとも１つのパラメータが前記拡散パラメータを備え、前記拡散パラメータが拡散コードを備え、
前記物理アップリンクチャネルを受信することが、適用された前記拡散コードを用いて前記物理アップリンクチャネルの複数のシンボル中で基準信号（ＲＳ）またはデータシンボルを受信することを備える、
請求項９に記載の方法。
【請求項１２】
前記少なくとも１つのパラメータが、前記拡散パラメータを備え、前記拡散パラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを受信することが、適用された前記ＳＦを用いて前記物理アップリンクチャネルの複数のシンボルを受信することを備える、
請求項９に記載の方法。
【請求項１３】
前記ホッピングパターンは、サブフレームホッピングパターンまたはスロットベースホッピングパターンを備え、
前記少なくとも１つのパラメータを割り当てることが、前記サブフレームホッピングパターンまたは前記スロットベースホッピングパターンを割り当てることを備え、
前記物理アップリンクチャネルを受信することが、前記狭帯域領域内で、第１のサブフレーム中に第１の周波数上で、その後、第２のサブフレーム中に第２の周波数上で、適用された拡散率（ＳＦ）を用いて前記物理アップリンクチャネルを受信することを備え、前記第１の周波数および前記第２の周波数が前記ホッピングパターンに基づいて決定される、
請求項９に記載の方法。
【請求項１４】
ユーザ機器（ＵＥ）によるワイヤレス通信のための装置であって、
より広いシステム帯域幅内の少なくとも１つの狭帯域領域を識別するための手段と、
前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定するための手段と、ここにおいて、前記少なくとも１つのパラメータは、サイクリックシフト、拡散パラメータ、またはホッピングパターンのうちの少なくとも１つを備え、
前記少なくとも１つの決定されたパラメータを使用して前記物理アップリンクチャネルのシンボルを送信するための手段と、ここにおいて、前記シンボルは、前記１つまたは複数の他のＵＥによって使用される時間周波数リソースを使用して送信される、
を備え、
ここにおいて、前記ＵＥおよび前記１つまたは複数の他のＵＥは、単一のリソースブロック（ＲＢ）をスパンする狭帯域領域中で動作し、ここにおいて、前記ＵＥおよび前記１つまたは複数の他のＵＥの各々は、前記単一のＲＢの少なくとも１つのトーンを割り当てられる、装置。
【請求項１５】
発展型ノードＢ（ｅＮＢ）によるワイヤレス通信のための装置であって、
より広いシステム帯域幅内の少なくとも１つの狭帯域領域を識別するための手段と、
前記狭帯域領域中での、１つまたは複数の他のＵＥによって送信されるシンボルと多重化される物理アップリンクチャネルのシンボルの送信のための少なくとも１つのパラメータをユーザ機器に割り当てるための手段と、ここにおいて、前記少なくとも１つのパラメータは、サイクリックシフト、拡散パラメータ、またはホッピングパターンのうちの少なくとも１つを備え、
前記ＵＥから、前記少なくとも１つの割り当てられたパラメータを使用して前記物理アップリンクチャネルの前記シンボルを受信するための手段と、ここにおいて、前記シンボルは、前記１つまたは複数の他のＵＥによって使用される時間周波数リソースを使用して受信される、
を備え、
ここにおいて、前記ＵＥおよび前記１つまたは複数の他のＵＥは、単一のリソースブロック（ＲＢ）をスパンする狭帯域領域中で動作し、ここにおいて、前記ＵＥおよび前記１つまたは複数の他のＵＥの各々は、前記単一のＲＢの少なくとも１つのトーンを割り当てられる、装置。
【手続補正２】
【補正対象書類名】明細書
【補正対象項目名】０１０５
【補正方法】変更
【補正の内容】
【０１０５】
[0113]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
より広いシステム帯域幅内の少なくとも１つの狭帯域領域を識別することと、
前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定することと、
前記少なくとも１つの決定されたパラメータを使用して前記物理アップリンクチャネルを送信することと
を備える、方法。
［Ｃ２］  前記少なくとも１つのパラメータがサイクリックシフトを備え、
前記物理アップリンクチャネルを送信することが、前記物理アップリンクチャネルの１つまたは複数のシンボル中で基準信号（ＲＳ）を送信するために前記サイクリックシフトを適用することを備える、
Ｃ１に記載の方法。
［Ｃ３］  前記少なくとも１つのパラメータが拡散コードを備え、
前記物理アップリンクチャネルを送信することが、前記物理アップリンクチャネルの複数のシンボル中で基準信号（ＲＳ）を送信するために前記拡散コードを適用することを備える、
Ｃ１に記載の方法。
［Ｃ４］  前記少なくとも１つのパラメータが拡散コードを備え、
前記物理アップリンクチャネルを送信することが、前記物理アップリンクチャネルの複数のシンボル中でデータシンボルを送信するために前記拡散コードを適用することを備える、
Ｃ１に記載の方法。
［Ｃ５］  前記少なくとも１つのパラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを送信することが、前記物理アップリンクチャネルの複数のシンボルを送信するために前記ＳＦを適用することを備える、
Ｃ１に記載の方法。
［Ｃ６］  前記決定することが、サブフレームホッピングパターンを識別することを備え、
前記物理アップリンクチャネルを送信することが、前記狭帯域領域内で、第１のサブフレーム中に第１の周波数を使用し、その後、第２のサブフレーム中に第２の周波数を使用して前記物理アップリンクチャネルを送信するために、拡散率を適用することを備え、前記第１の周波数および前記第２の周波数が前記ホッピングパターンに基づいて決定される、
Ｃ１に記載の方法。
［Ｃ７］  前記拡散率が、前記第１の周波数から前記第２の周波数に再同調するための時間に少なくとも部分的に基づく、Ｃ６に記載の方法。
［Ｃ８］  前記第１の周波数から前記第２の周波数への前記再同調が、前記第１のサブフレームの最後の１つまたは複数のシンボル、または前記第２のサブフレームの最初の１つまたは複数のシンボルのうちの少なくとも一方の間に生じ得る、Ｃ７に記載の方法。
［Ｃ９］  前記決定することが、スロットベースホッピングパターンを識別することを備え、
前記物理アップリンクチャネルを送信することが、前記狭帯域領域内で、サブフレームの第１のスロット中に第１の周波数上で、その後、前記サブフレームの第２のスロット中に第２の周波数上で前記物理アップリンクチャネルを送信するために、拡散率を適用することを備え、前記第１の周波数および前記第２の周波数が前記ホッピングパターンに基づいて決定される、
Ｃ１に記載の方法。
［Ｃ１０］  前記拡散率が、前記サブフレーム内で前記第１の周波数から前記第２の周波数に再同調するための時間に少なくとも部分的に基づく、Ｃ９に記載の方法。
［Ｃ１１］  前記物理アップリンクチャネルを送信することが、前記物理アップリンクチャネルのサブフレームの複数のシンボル中であるいは前記物理アップリンクチャネルの複数のサブフレームにわたって基準信号（ＲＳ）またはデータシンボルのうちの一方を送信するために、拡散コードを適用することを備える、Ｃ１に記載の方法。
［Ｃ１２］  前記少なくとも１つのパラメータが、１に等しいかまたはそれよりも大きい拡散率を備え、
前記ＵＥのみが、前記物理アップリンクチャネル上のリソースブロック上での送信のためにスケジュールされる、
Ｃ１に記載の方法。
［Ｃ１３］  前記少なくとも１つのパラメータが拡散コードをさらに備え、
前記物理アップリンクチャネルを送信することが、前記物理アップリンクチャネルの複数のシンボル中で基準前記信号（ＲＳ）を送信するために前記拡散コードを適用することをさらに備える、
Ｃ２に記載の方法。
［Ｃ１４］  発展型ノードＢ（ｅＮＢ）によるワイヤレス通信のための方法であって、
より広いシステム帯域幅内の少なくとも１つの狭帯域領域を識別することと、
前記狭帯域領域中での、１つまたは複数の他のＵＥによって送信されるシンボルと多重化される物理アップリンクチャネルのシンボルの送信のための少なくとも１つのパラメータをユーザ機器に割り当てることと、
前記ＵＥから、前記少なくとも１つの割り当てられたパラメータを使用して前記物理アップリンクチャネルを受信することと
を備える、方法。
［Ｃ１５］  前記少なくとも１つのパラメータがサイクリックシフトを備え、
前記物理アップリンクチャネルを受信することが、前記物理アップリンクチャネルの１つまたは複数のシンボル中で、適用された前記サイクリックシフトを用いて基準信号（ＲＳ）を受信することを備える、
Ｃ１４に記載の方法。
［Ｃ１６］  前記少なくとも１つのパラメータが拡散コードを備え、
前記物理アップリンクチャネルを受信することが、適用された前記拡散コードを用いて前記物理アップリンクチャネルの複数のシンボル中で基準信号（ＲＳ）を受信することを備える、
Ｃ１４に記載の方法。
［Ｃ１７］  前記少なくとも１つのパラメータが拡散コードを備え、
前記物理アップリンクチャネルを受信することが、適用された前記拡散コードを用いて前記物理アップリンクチャネルの複数のシンボル中でデータシンボルを受信することを備える、
Ｃ１４に記載の方法。
［Ｃ１８］  前記少なくとも１つのパラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを受信することが、適用された前記ＳＦを用いて前記物理アップリンクチャネルの複数のシンボルを受信することを備える、
Ｃ１４に記載の方法。
［Ｃ１９］  前記少なくとも１つのパラメータを割り当てることが、サブフレームホッピングパターンを割り当てることを備え、
前記物理アップリンクチャネルを受信することが、前記狭帯域領域内で、第１のサブフレーム中に第１の周波数上で、その後、第２のサブフレーム中に第２の周波数上で、適用された拡散率（ＳＦ）を用いて前記物理アップリンクチャネルを受信することを備え、前記第１の周波数および前記第２の周波数が前記ホッピングパターンに基づいて決定される、
Ｃ１４に記載の方法。
［Ｃ２０］  前記拡散率は、前記ＵＥが前記第１の周波数から前記第２の周波数に再同調するための時間に少なくとも部分的に基づく、Ｃ１９に記載の方法。
［Ｃ２１］  前記第１の周波数から前記第２の周波数への前記再同調が、前記第１のサブフレームの最後の１つまたは複数のシンボル、または前記第２のサブフレームの最初の１つまたは複数のシンボルのうちの少なくとも一方の間に生じ得る、Ｃ２０に記載の方法。
［Ｃ２２］  前記決定することが、スロットベースホッピングパターンを識別することを備え、
前記物理アップリンクチャネルを受信することが、前記狭帯域領域内で、サブフレームの第１のスロット中に第１の周波数上で、その後、前記サブフレームの第２のスロット中に第２の周波数上で、適用された拡散率（ＳＦ）を用いて前記物理アップリンクチャネルを受信することを適用することを備え、前記第１の周波数および前記第２の周波数が前記ホッピングパターンに基づいて決定される、
Ｃ１４に記載の方法。
［Ｃ２３］  前記拡散率は、前記ＵＥが前記サブフレーム内で前記第１の周波数から前記第２の周波数に再同調するための時間に少なくとも部分的に基づく、Ｃ２２に記載の方法。
［Ｃ２４］  前記物理アップリンクチャネルを受信することが、適用された拡散コードを用いて、前記物理アップリンクチャネルのサブフレームの複数のシンボル中であるいは前記物理アップリンクチャネルの複数のサブフレームにわたって基準信号（ＲＳ）またはデータシンボルのうちの一方を受信することを備える、Ｃ１４に記載の方法。
［Ｃ２５］  前記少なくとも１つのパラメータが、１に等しいかまたはそれよりも大きい拡散率（ＳＦ）を備え、
前記物理アップリンクチャネル上のリソースブロック上での送信のために前記ＵＥのみをスケジュールすることをさらに備える、
Ｃ１４に記載の方法。
［Ｃ２６］  ユーザ機器（ＵＥ）によるワイヤレス通信のための装置であって、
より広いシステム帯域幅内の少なくとも１つの狭帯域領域を識別するための手段と、  前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定するための手段と、
前記少なくとも１つの決定されたパラメータを使用して前記物理アップリンクチャネルを送信するための手段と
を備える、装置。
［Ｃ２７］  前記少なくとも１つのパラメータがサイクリックシフトを備え、
前記物理アップリンクチャネルを送信するための前記手段が、前記物理アップリンクチャネルの１つまたは複数のシンボル中で基準信号（ＲＳ）を送信するために前記サイクリックシフトを適用するための手段を備える、
Ｃ２６に記載の装置。
［Ｃ２８］  前記少なくとも１つのパラメータが拡散コードを備え、
前記物理アップリンクチャネルを送信するための前記手段が、前記物理アップリンクチャネルの複数のシンボル中で基準信号（ＲＳ）を送信するために前記拡散コードを適用するための手段を備える、
Ｃ２６に記載の装置。
［Ｃ２９］  発展型ノードＢ（ｅＮＢ）によるワイヤレス通信のための装置であって、
より広いシステム帯域幅内の少なくとも１つの狭帯域領域を識別するための手段と、  前記狭帯域領域中での、１つまたは複数の他のＵＥによって送信されるシンボルと多重化される物理アップリンクチャネルのシンボルの送信のための少なくとも１つのパラメータをユーザ機器に割り当てるための手段と、
前記ＵＥから、前記少なくとも１つの割り当てられたパラメータを使用して前記物理アップリンクチャネルを受信するための手段と
を備える、装置。
［Ｃ３０］  前記少なくとも１つのパラメータがサイクリックシフトを備え、
前記物理アップリンクチャネルを受信するための前記手段が、前記物理アップリンクチャネルの１つまたは複数のシンボル中で、適用された前記サイクリックシフトを用いて基準信号（ＲＳ）を受信するための手段を備える、
Ｃ２９に記載の装置。